(57)【要約】【課題】ドキュメントからリンク移動を行う場合に、ポインタと操作ボタンとを利用することによって快適な操作を実現することが出来る情報端末装置を提供すること。【解決手段】マークアップ言語形式で記載されたドキュメントを通信部１２から読み込み、表示部１６に表示する。また、この表示されたドキュメントからリンク情報を検出する。ここで、表示部１６にはポインタが表示されており、ポインタの位置座標を検出する。そして、ポインタの位置座標に基づいて、リンク情報と、ダイヤルボタンとを割り当てて、リンク割当テーブル３０２に記憶する。そして、ユーザによりダイヤルボタンが押下されると、リンク割当テーブル３０２からリンク先ＵＲＬを読み出し、ＷＥＢページを移動する。【選択図】図２
2008269217.tif 000002
【特許請求の範囲】
【請求項１】
選択ボタンと、
マークアップ言語形式で記載されたドキュメントを読み込み、表示するドキュメント表示手段と、
前記ドキュメントに埋め込まれたリンク情報を検出するリンク検出手段と、
ドキュメント表示手段により表示されたドキュメント上に表示されるポインタの位置を検出するポインタ位置検出手段と、
前記ポインタ位置検出手段により検出されたポインタの位置に基づいて、前記リンク検出手段により検出されたリンク情報を、選択ボタンに割り付けるリンク割付手段と、
前記選択ボタンが押下された場合に、前記リンク割付手段により割り付けられたリンク情報にて指定されたリンク先にジャンプする制御を行うジャンプ制御手段と、
を備えたことを特徴とする情報端末装置。
【請求項２】
前記リンク検出手段により検出されたリンク情報が、前記ドキュメントにおいて表示されているリンク位置座標を検出するリンク座標検出手段を更に有し、
前記リンク割付手段は、前記ポインタ位置検出手段により検出されたポインタの位置座標から、所定の範囲に含まれるリンク位置座標のリンク情報を選択ボタンに割り付けることを特徴とする請求項１に記載の情報端末装置。
【請求項３】
前記リンク割付手段は、前記ポインタの位置の近傍にあるリンク情報から、選択ボタンに順次割り付けることを特徴とする請求項１又は２に記載の情報端末装置。
【請求項４】
インターネットを介して前記ドキュメントを取得するドキュメント取得手段を更に有し、
前記リンク割付手段は、前記リンク情報において、ドキュメント取得手段により取得したドキュメントのドメインと、リンク情報に含まれるリンク先のドメインとが同じ場合に、リンク情報を選択ボタンに割り付けることを特徴とする請求項１から３のいずれか一項に記載の情報端末装置。
【請求項５】
リンク先として除外するためのリンク情報を記憶する除外リンク先記憶手段を更に有し、
前記リンク割付手段は、前記除外リンク先記憶手段に記憶されているリンク先を含むリンク情報以外のリンク情報を、選択ボタンに割り付けることを特徴とする請求項１から４のいずれか一項に記載の情報端末装置。
【請求項６】
前記選択ボタンは数字ボタンであって、
前記リンク割付手段は、前記リンク検出手段により検出されたリンク情報を、数字ボタンに割り付ける数字ボタンリンク割付手段を有し、
前記数字ボタンリンク割付手段に寄り割り付けられた数字ボタンに対応する数字を、前記ドキュメント表示手段により表示されたドキュメントのリンクに付して表示する数字ボタン表示手段を更に備えることを特徴とする請求項１から５のいずれか一項に記載の情報端末装置。
【請求項７】
選択ボタンを備えたコンピュータに、
マークアップ言語形式で記載されたドキュメントを読み込み、表示するドキュメント表示機能と、
前記ドキュメントに埋め込まれたリンク情報を検出するリンク検出機能と、
ドキュメント表示機能により表示されたドキュメント上に表示されるポインタの位置を検出するポインタ位置検出機能と、
前記ポインタ位置検出機能により検出されたポインタの位置に基づいて、前記リンク検出機能により検出されたリンク情報を、選択ボタンに割り付けるリンク割付機能と、
前記選択ボタンが押下された場合に、前記リンク割付機能により割り付けられたリンク情報にて指定されたリンク先にジャンプする制御を行うジャンプ制御機能と、
を実現させるためのプログラム。
【発明の詳細な説明】
【技術分野】
【０００１】
本発明は情報端末装置及びプログラムに関する。
【背景技術】
【０００２】
近年、インターネットの普及に伴い、ユーザがインターネット等のネットワークを経由してニュース、情報を取得する機会が増えてきた。このような背景に基づいて、携帯電話やＰＤＡ（Personal Digital Assistant）等を代表する情報端末装置において、ブラウザ機能が搭載されたものが多く発売されている。当該ブラウザ機能を利用することにより、ネットワークを経由して受信されたマークアップ言語形式で記述されたドキュメントを受信し、当該受信したドキュメントをいつでも手軽に閲覧することが可能となっている。ここで、マークアップ言語形式で記述されたドキュメントとしては、代表的なものにＨＴＭＬ（Hyper Text Markup Language）形式において記述されたＷＥＢページがある。
【０００３】
ここで、ブラウザ上において表示されたＷＥＢページから、他のＷＥＢページにジャンプする場合、リンクを利用することが一般的に行われている。リンクは、ドキュメント内の文字列に、リンク先のＵＲＬがタグ情報として埋め込まれている。また、リンク先のＵＲＬが埋め込まれた文字列（以下、「リンク文字列」という。）には、下線などの装飾が施されてＷＥＢページ上に表示されている。
【０００４】
ブラウザ上において表示されたポインタにより、リンク文字列が選択される。すると、選択されたリンク文字列に埋め込まれているリンク先のＵＲＬに基づいて、ページをジャンプ（移動）させることが一般的である。
【０００５】
ここで、携帯電話やＰＤＡ等の小型の情報端末装置においては、方向ボタン等を用いてポインタを操作することが一般的であり、コンピュータ等で用いられているマウス等と比較して細かい操作を行うことができない。
【０００６】
そこで、表示されたホームページにおいて、リンク先と操作ボタンとを対応づけて記憶する発明が知られている（例えば、特許文献１参照）。この発明によれば、ポインタを使用することなく、リンク先にを選択し、ジャンプすることが可能である。
【特許文献１】特開平１０−１１１８５４号公報
【発明の開示】
【発明が解決しようとする課題】
【０００７】
ところで、最近では「フルブラウザ機能」と呼ばれるブラウザ機能を搭載する情報端末装置が知られている。従来の小型の情報端末装置に搭載されたブラウザは、一部の機能を利用できるに過ぎないものが多かったが、コンピュータのブラウザと同等の機能を有する「フルブラウザ機能」を利用することにより、コンピュータで閲覧するのと同じ状態でＷＥＢページを閲覧することが出来るようになっている。
【０００８】
しかし、コンピュータで用いられるディスプレイ等の大型の表示装置と異なり、携帯電話等で用いられている表示装置は、例えば、「２．４インチ」や「３インチ」等の小さいサイズが一般的である。表示画面が大きい分、多くの情報が表示されることとなり、例えばＷＥＢページ上に表示されたリンク先が多く表示されることとなり、適切にリンクを選択するのは難しかった。
【０００９】
また、近年は情報量を多く表示させるため、表示する画素数がＶＧＡ以上である高解像度の端末が登場しつつある。これらの情報端末装置においては、表示画面を細かくすることにより、多くの文字・情報を表示することが可能となっている。さらに、表示する文字フォントの大きさを小さくすることにより、更に多くの表示が可能となる。
【００１０】
しかし、表示画面に多くの文字・情報が表示されることにより、リンク文字列の表示が小さくなり、選択する操作が難しく、煩雑となってしまった。とくに、ポインタを用いてリンク先を選択する場合、細かいリンク文字列の中から、所望するリンク文字列を適切に選択する操作はきわめて困難であった。
【００１１】
また、表示されているリンク文字列も、表示する情報量が増えた分、多くなっているために、例えば特許文献１に示した方法だと、かなり多くのリンク先と操作ボタンとを対応づける必要があるといった問題点があった。
【００１２】
さらに、携帯電話等の場合、操作ボタンの数が限られるため、リンク文字列に対して操作ボタンを適切に割り当てることが出来ないといった問題点もあった。
【００１３】
上述した課題に鑑み、本発明が目的とするところは、ドキュメントからリンク移動を行う場合に、ポインタと操作ボタンとを利用することによって快適な操作を実現することが出来る情報端末装置を提供することである。
【課題を解決するための手段】
【００１４】
上述した課題に鑑み、第１の発明における情報端末装置は、選択ボタンと、マークアップ言語形式で記載されたドキュメントを読み込み、表示するドキュメント表示手段と、前記ドキュメントに埋め込まれたリンク情報を検出するリンク検出手段と、ドキュメント表示手段により表示されたドキュメント上に表示されるポインタの位置を検出するポインタ位置検出手段と、前記ポインタ位置検出手段により検出されたポインタの位置に基づいて、前記リンク検出手段により検出されたリンク情報を、選択ボタンに割り付けるリンク割付手段と、前記選択ボタンが押下された場合に、前記リンク割付手段により割り付けられたリンク情報にて指定されたリンク先にジャンプする制御を行うジャンプ制御手段と、を備えたことを特徴とする。
【００１５】
また、第２の発明における情報端末装置は、第１の発明の情報端末装置において、前記リンク検出手段により検出されたリンク情報が、前記ドキュメントにおいて表示されているリンク位置座標を検出するリンク座標検出手段を更に有し、前記リンク割付手段は、前記ポインタ位置検出手段により検出されたポインタの位置座標から、所定の範囲に含まれるリンク位置座標のリンク情報を選択ボタンに割り付けることを特徴とする。
【００１６】
また、第３の発明における情報端末装置は、第１又は第２の発明の情報端末装置において、前記リンク割付手段は、前記ポインタの位置の近傍にあるリンク情報から、選択ボタンに順次割り付けることを特徴とする。
【００１７】
また、第４の発明における情報端末装置は、第１から第３のいずれかの発明の情報端末装置において、インターネットを介して前記ドキュメントを取得するドキュメント取得手段を更に有し、前記リンク割付手段は、前記リンク情報において、ドキュメント取得手段により取得したドキュメントのドメインと、リンク情報に含まれるリンク先のドメインとが同じ場合に、リンク情報を選択ボタンに割り付けることを特徴とする。
【００１８】
また、第５の発明における情報端末装置は、第１から第４のいずれかの発明の情報端末装置において、リンク先として除外するためのリンク情報を記憶する除外リンク先記憶手段を更に有し、前記リンク割付手段は、前記除外リンク先記憶手段に記憶されているリンク先を含むリンク情報以外のリンク情報を、選択ボタンに割り付けることを特徴とする。
【００１９】
また、第６の発明における情報端末装置は、第１から第５のいずれかの発明の情報端末装置において、前記選択ボタンは数字ボタンであって、前記リンク割付手段は、前記リンク検出手段により検出されたリンク情報を、数字ボタンに割り付ける数字ボタンリンク割付手段を有し、前記数字ボタンリンク割付手段に寄り割り付けられた数字ボタンに対応する数字を、前記ドキュメント表示手段により表示されたドキュメントのリンクに付して表示する数字ボタン表示手段を更に備えることを特徴とする。
【発明の効果】
【００２０】
本発明によれば、マークアップ言語形式で記載されたドキュメントを表示し、当該ドキュメントに埋め込まれたリンク情報を検出する。また、表示されたドキュメント上に表示されるポインタの位置を検出し、検出されたポインタの位置に基づいて、リンク情報を、選択ボタンに割り付ける。そして、選択ボタンが押下された場合に、割り付けられたリンク情報にて指定されたリンク先にジャンプすることとなる。したがって、ユーザは選択ボタンを押下することにより、ジャンプ操作を適切に行うことにできる。
【００２１】
また、本発明によれば、ポインタの位置座標から、所定の範囲に含まれるリンク位置座標のリンク情報が選択ボタンに割り付けられることになる。したがって、所望するリンク文字列がある位置にポインタを移動させることにより、より適切に所望するリンク情報を選択ボタンに割り付けることができる。
【００２２】
また、本発明によれば、ポインタの位置の近傍にあるリンク情報から、選択ボタンに順次割り付けることとなる。したがって、利用したいリンク情報の近傍にポインタを移動することにより、より適切に選択ボタンに割り当てられることになり、ジャンプ操作を適切に行うことができる。
【００２３】
また、本発明によれば、インターネットを介してドキュメントを取得するときに、取得したドキュメントのドメインと、リンク情報に含まれるリンク先のドメインとが同じ場合に、リンク情報を選択ボタンに割り付けることとなる。したがって、取得したドキュメントのドメインと、リンク情報に含まれるリンク先のドメインが異なる場合は、リンク情報が選択ボタンに割り付けられないこととなるため、いわゆる外部サイトに対してのリンク情報の割付を排除することができる。
【００２４】
また、本発明によれば、リンク先として除外するためのリンク情報を除外リストとして記憶しており、除外リストに記憶されているリンク先を含むリンク情報以外のリンク情報が、選択ボタンに割り付けられることとなる。
【００２５】
また、本発明によれば、選択ボタンは数字ボタンであって、検出されたリンク情報を、数字ボタンに割り付けるとともに、割り付けられた数字ボタンに対応する数字を、ドキュメントのリンクに付して表示することとなる。
【発明を実施するための最良の形態】
【００２６】
続いて、本発明における情報端末装置について説明する。
【００２７】
［構成］
図１は、本発明の情報端末装置の一例として、携帯電話に適用した場合における携帯電話１の外観を示す図である。携帯電話１には、表示部３と、各種操作ボタンとを備えており、特に操作ボタンとして、方向ボタン５と、ダイヤルボタン７とを備えている。
【００２８】
表示部３は、携帯電話１における各種情報、設定、受信されたＷＥＢページ等を表示することができる。
【００２９】
また、各種操作を選択するボタンを備えており、特に方向ボタン５及びダイヤルボタン７を備えている。方向ボタンは、携帯電話１において、各種選択動作に用いるとともに、表示部３において表示されるポインタを操作する際に用いられる。また、ダイヤルボタン７は、電話操作を行うときに利用させる他、機能を選択する場合等にも利用される。
【００３０】
図２は、携帯電話１の構成について示した図である。図２に示すように、携帯電話１には、処理部１０と、通信部１２と、操作部１４と、表示部１６と、ＥＥＰＲＯＭ（Electrically Erasable Programmable ROM）２０と、記憶部３０とを備えて構成されている。
【００３１】
処理部１０は、携帯電話１の各動作部及び制御を行う処理装置である。携帯電話１に記憶されている各種プログラムを読み出し、実行することにより各処理を実現する。例えば、ＥＥＰＲＯＭ２０から、ジャンププログラム２０２を読み出して実行することにより、ジャンプ処理を実現する。同様に、ＥＥＰＲＯＭ２０から、リンク割付プログラム２０４を読み出して実行することにより、リンク割付処理を実現する。
【００３２】
通信部１２は、携帯電話１が、外部とデータを送受信するため機能部である。通信部１２には、外部ネットワーク（基地局）と通信を行うためのアンテナが接続されている。ここで、通信部１２は、通常の通話の他に、各種データ等の送受信も行われる。具体的には、サーバからマークアップ言語形式で記載されたドキュメントとしてＨＴＭＬ形式のドキュメント（ＷＥＢページ）を受信する。ＨＴＭＬドキュメントには、文字装飾等の指示を行うタグが埋め込まれており、その中にはリンク情報も含まれている。
【００３３】
リンク情報とは、リンク先のＵＲＬ及びリンク対象となる文字列（リンク文字列）である。例えば、所定の文字列がリンク文字列の場合、当該リンク文字列にはタグを用いてリンク先のＵＲＬが埋め込まれている。ユーザが、当該リンク文字列を選択すると、リンク先のＵＲＬに表示されているＷＥＢページにジャンプすることとなる。
【００３４】
操作部１４は、ユーザから入力された操作を、処理部１０に伝えるために機能部である。例えば、図１においては、方向ボタン５やダイヤルボタン７が該当する。ここで、操作部１４は、本実施形態においては操作ボタンとして説明するが、例えばタッチパネル等においても実現可能なことは勿論である。
【００３５】
表示部１６は、携帯電話１において、各種文字列等の表示する為の機能部であり、図１のディスプレイ３に相当する。ここで、表示部１６は、ＴＦＴ（Thin Film Transistor）液晶や、有機ＥＬ（electroluminescence）等により実現される。
【００３６】
ＥＥＰＲＯＭ２０は、各種初期設定等のデータ、通信を行うためのプログラム等を格納する機能部である。また、本実施形態においては、ジャンププログラム２０２と、リンク割付プログラム２０４とが記憶されている。
【００３７】
記憶部３０は、処理部１０が実行する各種プログラムの実行にかかるデータ等を保持する随時書き込み可能なメモリである。本実施形態において、記憶部３０は、リンク割付テーブル３０２と、除外リストテーブル３０４と、履歴リストテーブル３０６と、設定データ３０８とを記憶している。
【００３８】
リンク割付テーブル３０２は、現在の表示されている画面の中のリンク先と、当該リンク先に割り付けるダイヤルボタン７との対応を記憶するためのテーブルである。ここで、リンク割付テーブル３０２のデータ構造の一例を図３に示す。リンク割付テーブル３０２は、リンク文字列が表示されている画面座標（例えば、「（２０，１０）〜（８０，２５）」）と、リンク先となるＵＲＬであるリンク先ＵＲＬ（例えば、「http://www.a.co.jp/xxx/」）と、当該リンク先に割り付けられるダイヤルボタン（例えば「１」）とを対応づけて記憶している。
【００３９】
除外リストテーブル３０４は、検出されたリンク先ＵＲＬのうち、ダイヤルボタンに割り当てないＵＲＬ（除外ＵＲＬ）を記憶しているテーブルである。例えば、図４に示すように、除外リストテーブル３０４は、除外ＵＲＬ（例えば、「http://www.a.co.jp/yyy/」）を記憶している。
【００４０】
履歴リストテーブル３０６は、今まで選択されたリンク先のＵＲＬを履歴ＵＲＬとして記憶しているテーブルである。例えば、図５に示すように、履歴リストテーブル３０６は、履歴ＵＲＬ（例えば、「http://www.b.go.jp/」）を記憶している。
【００４１】
設定データ３０８は、ユーザが設定したパラメータを記憶するためのテーブルである。本実施形態においては、外部サイトのリンクにダイヤルボタンを割り当てるか否か、除外ＵＲＬのリンクにダイヤルボタンを割り当てるか否か、履歴ＵＲＬを利用してダイヤルボタンを割り当てるか否かを設定した値として記憶している。
【００４２】
［処理の流れ］
（ジャンプ処理）
続いて、図６を用いて携帯電話１におけるジャンプ処理について説明する。ジャンプ処理は、処理部１０が、ＥＥＰＲＯＭ２０からジャンププログラム２０２を読み出して実行することにより実現される処理である。
【００４３】
まず、処理部１０は、通信部１２を介してネットワークからＷＥＢページを読み込む（ステップＳ１０）。例えば、ＷＥＢサーバからインターネットを介してＨＴＭＬにて記述されたＷＥＢページ（ドキュメント）を受信する。そして、受信されたＨＴＭＬを解析し、ＷＥＢページとして表示部１６に表示する。
【００４４】
続いて、方向ボタン５が押下されると、方向ボタン５に応じて表示部１６に表示されているポインタが移動される（ステップＳ１２）。ここで、ポインタが所定時間移動されなかった場合、ポインタが停止されたと判定して（ステップＳ１４；Ｙｅｓ）、現在ポインタが表示されている位置座標を検出する（ステップＳ１６）。そして、処理部１０は、リンク割付プログラム２０４を実行することにより、リンク割付処理を実行する（ステップＳ１８）。
【００４５】
ステップＳ１８のリンク割付処理の詳細は後述するが、リンク割付処理が実行されると、リンク割付テーブル３０２に、リンク先ＵＲＬと、ダイヤルボタン７とが対応づけて記憶されることとなる。
【００４６】
ここで、ダイヤルボタン７が押下されると（ステップＳ２０；Ｙｅｓ）、処理部１０は、押下されたダイヤルボタン７に対応してリンク先ＵＲＬをリンク割当テーブル３０２から読み出す。そして、読み出されたリンク先ＵＲＬに基づいて、当該ＵＲＬのＷＥＢページにジャンプする処理を実行する（ステップＳ２２）。
【００４７】
他方、ダイヤルボタン７が押下されていない場合には、再度ポインタの移動があった否かを判定する（ステップＳ２０；Ｎｏ→ステップＳ２４）。ここで、再度ポインタの移動があったと判定された場合には（ステップＳ２４；Ｙｅｓ）、ステップＳ１２から処理を再び実行する。また、ポインタの移動が検知されない場合は（ステップＳ２４；Ｎｏ）、ジャンプ処理を中止するか否かを判定する（ステップＳ２６）。ここで、ジャンプ処理の中止しない場合は（ステップＳ２６；Ｎｏ）、ステップＳ１２から処理を再度実行する。
【００４８】
（リンク割付処理）
続いてリンク割付処理について図７を用いて説明する。リンク割付処理は、処理部１０がＥＥＰＲＯＭ２０からリンク割付プログラム２０４を読み出して実行することにより、実現される処理である。
【００４９】
まず、表示部１６に表示されているページに含まれるリンク文字列と、当該リンク文字列の座標をリンク候補として検出する（ステップＳ５０）。したがって、この時点において、表示部１６に表示されているリンクが総て検出される。
【００５０】
続いて、検出されたリンク候補それぞれに、ダイヤルボタンを割付け、リンク割当テーブル３０２を更新する（ステップＳ５２）。ここで、設定データ３０８を参照すると、外部サイトを除外する設定となっている場合には（ステップＳ５４；Ｙｅｓ）、外部サイトに割り当てられたダイヤルボタンを、割付から除外する（ステップＳ５６）。
【００５１】
さらに、設定データ３０８を参照すると、除外リストを利用する設定となっている場合には（ステップＳ５８；Ｙｅｓ）、リンク先として除外リストテーブル３０４に記憶されているサイトに割り当てられているダイヤルボタンを除外する（ステップＳ６０）。
【００５２】
続いて、設定データ３０８を参照して履歴リストを利用する設定となっているかどうか判定する（ステップＳ６２）。ここで、履歴リストを利用する場合には（ステップＳ６２；Ｙｅｓ）、リンク先として履歴リストテーブル３０６に記憶されているサイトに対しては優先的にダイヤルボタンを割り付ける（ステップＳ６４）。
【００５３】
そして、処理部１０は、上記の処理に基づいてリンク割当テーブル３０２を更新する（ステップＳ６６）。また、リンク割当テーブル３０２に記憶された内容に基づいて、リンク先番号（例えば、割り当てられたダイヤルボタンの番号）を表示部１６に表示されているリンクを示す文字列の近傍に表示する（ステップＳ６８）。
【００５４】
［動作例］
続いて、ジャンプ処理及びリンク割付処理の動作について、図を用いて説明する。まず、図８（ａ）は、設定データ３０８を登録する場合における表示画面Ｗ１０の一例を示した図である。表示画面Ｗ１０において、領域Ｒ１０２において外部サイトを除外するか否かを、領域Ｒ１０４において除外リストを利用するか否かを、領域Ｒ１０８において履歴を利用するか否かをそれぞれ選択することが出来る。ここで、設定された値は設定データ３０８として記憶される。また、除外リストを利用する場合は、除外となるリンク先のＵＲＬを領域Ｒ１０６において入力され、除外リストテーブル３０４に記憶される。
【００５５】
図８（ｂ）は、実際にＷＥＢページを携帯電話１に表示させた場合における表示画面Ｗ１２の一例を示した図である。表示画面Ｗ１２において、リンクが設定されている文字列（リンク文字列）には下線が付されている。例えば、リンク文字列Ｍ１２２「問い合わせ」が選択されると、「問い合わせ」に埋め込まれているリンク先ＵＲＬに基づいてジャンプ処理が実行される。
【００５６】
ここで、ポインタＰ１２０が停止した場合（図６のステップＳ１４；Ｙｅｓ）、ポインタ座標が検出される（図６のステップＳ１６）。そして、ポインタＰ１２０を中心に所定の範囲（図８（ｂ）の領域Ｒ１２０）に含まれるリンク文字列に対応してダイヤルボタンが割り当てられる（図６のステップＳ１８、図７のステップＳ５０、Ｓ５２）。
【００５７】
ここで、ダイヤルボタン７をリンク文字列に割り当てる方法としては種々の方法が考えられる。例えば、所定の範囲（領域Ｒ１２０）に含まれるリンク文字列に対して、画面上部から順にダイヤルボタンを割り当てて行く方法が考えられる。このときの表示画面の一例を示したのが、図９（ａ）の表示画面Ｗ１４である。表示画面Ｗ１４では、ポインタＰ１４０の位置に基づいて、画面上部から順にダイヤルボタンがリンク文字列に割り当てられている。例えば、リンク文字列Ｍ１４０「更新情報」に、ダイヤルボタン「１」が割り当てられ、マークＭ１４２が表示されている（図７のステップＳ６８）。
【００５８】
また、図９（ｂ）に示す表示画面Ｗ１６は、ポインタＰ１６０を中心に、ダイヤルボタンを割り当てた場合の一例を示している。ポインタＰ１６０に最も近傍のリンク文字列Ｍ１６０「問い合わせ」にダイヤルボタン「１」、次に近傍にあるリンク文字列Ｍ１６２「会社情報」にダイヤルボタン「２」というように、割り当てられている。
【００５９】
また、図１０に示す表示画面Ｗ１８は、リンク割付処理により、リンク文字列にダイヤルボタンを割り当てた場合の一例を示している。まず、リンク文字列Ｍ１８６は、リンク先が外部サイトとなっているリンク文字列である。この場合、外部サイトを除外する設定がされていると、当該リンク文字列にダイヤルボタンは割り当てられないこととなる（図７のステップＳ５４；Ｙｅｓ→ステップＳ５６）。
【００６０】
また、リンク文字列Ｍ１８４のリンク先ＵＲＬは、除外リストテーブル３０４に登録されている。この場合、除外リストを利用する設定がされていると、当該リンク文字列にダイヤルボタンは割り当てられないこととなる（図７のステップＳ５８；Ｙｅｓ→ステップＳ６０）。
【００６１】
続いて、リンク文字列Ｍ１８０のリンク先ＵＲＬは、履歴リストテーブル３０６に登録されている。この場合、履歴リストを利用する設定がされていると、当該リンク文字列Ｍ１８０に優先的にダイヤルボタンが割り当てられることとなる（図７のステップＳ６２；Ｙｅｓ→ステップＳ６４）。
【００６２】
このように、本実施形態によれば、ポインタ位置を中心に、リンクがダイヤルボタンに対応して割り付けられることとなる。すなわち、まずユーザはジャンプ先として所望するリンク文字列が表示されている位置の近傍にポインタを移動する。そして、その場所を中心に、リンク情報がダイヤルボタンに割り当てられることとなる。したがって、リンク文字列を選択する際に、不要に正確な操作を要求されず、適切にジャンプ操作を行うことが出来るようになる。
【００６３】
［変形例］
上述した実施形態では、本発明の情報端末装置を携帯電話に適用した場合について説明したが、携帯電話に限定されるものではなく、小型コンピュータ、ＰＤＡ（Personal Digital Assistants）、カーナビゲーション、携帯型ゲーム機等の電子機器全般に適用可能なことは勿論である。
【００６４】
また、本発明の情報端末装置は、同様の操作ボタンを有する装置にも適用可能である。例えば、テレビ用のリモコン（リモートコントローラ）に適用した場合、選択ボタンとしてチャンネルボタンを割り当てることにより、同様の効果を得ることができる。
【００６５】
また、上述した実施形態では、ドキュメントの種類としてＨＴＭＬ形式で記載されたＷＥＢページを例として説明したが、リンクの構造を有するドキュメントであれば適用可能なことは勿論である。例えば、操作方法を説明する為のヘルプファイルであったり、ＸＭＬ形式やＳＧＭＬ形式で記載されたファイルであったりしても良い。
【００６６】
また、リンク割付処理に関しては上述した実施形態以外にも種々の方法が考えられる。例えば、読み込まれたホームページのタグ情報を解析し、所定の項目（タグ情報）にのみダイヤルボタンを割り付けることとしても良い。例えば、図１１（ａ）に示した表示画面Ｗ３０では、表示されたメニュー項目において、大項目にのみ、ダイヤルボタンが割り当てられている。
【００６７】
また、上述した実施形態では、ダイヤルボタンに対応して割り当てるのはリンク文字列として説明したが、例えば、入力フォームやラジオボタンであっても良い。例えば、図１１（ｂ）に示した表示画面Ｗ４０は、ポインタＰ４００に基づいて、入力フォームＭ４００及びＭ４０２と、ラジオボタンＭ４０４及びＭ４０６とにダイヤルボタンが割り付けられている。
【００６８】
また、上述した実施形態では、ポインタが停止したときに、ポインタ座標を検出することとして説明したが、例えば、所定の操作が為された場合に、ポインタ座標を検出することとしても良い。例えば、ポインタが移動可能な状態のときに、ダイヤルボタン「＃」が押下されると、ポインタ座標を検出することとしても良い。
【図面の簡単な説明】
【００６９】
【図１】本実施形態における携帯電話の外観を示した図である。
【図２】本実施形態における携帯電話の構成を示した図である。
【図３】本実施形態におけるリンク割当テーブルのデータ構成の一例を示した図である。
【図４】本実施形態における除外リストテーブルのデータ構成の一例を示した図である。
【図５】本実施形態における履歴リストテーブルのデータ構成の一例を示した図である。
【図６】本実施形態におけるジャンプ処理にかかる動作フローの一例を示した図である。
【図７】本実施形態におけるリンク割付処理にかかる動作フローの一例を示した図である。
【図８】本実施形態における動作画面の一例を示した図である。
【図９】本実施形態における動作画面の一例を示した図である。
【図１０】本実施形態における動作画面の一例を示した図である。
【図１１】変形例における動作画面の一例を示した図である。
【符号の説明】
【００７０】
１０  処理部
１２  通信部
１４  操作部
１６  表示部
２０  ＥＥＰＲＯＭ
２０２  ジャンププログラム
２０４  リンク割付プログラム
３０  記憶部
３０２  リンク割当テーブル
３０４  除外リストテーブル
３０６  履歴リストテーブル
３０８  設定データ
【図１】
2008269217.tif 000003
【図２】
2008269217.tif 000004
【図３】
2008269217.tif 000005
【図４】
2008269217.tif 000006
【図５】
2008269217.tif 000007
【図６】
2008269217.tif 000008
【図７】
2008269217.tif 000009
【図８】
2008269217.tif 000010
【図９】
2008269217.tif 000011
【図１０】
2008269217.tif 000012
【図１１】
2008269217.tif 000013